(57)【特許請求の範囲】
【請求項１】
光ディスクのトラッキング方向に移動されて位置制御される可動台上に、光学部を搭載して記録、再生の少なくともいずれかを行なう光ディスク装置において、
複数種の光ディスクに対応した複数種の対物レンズを、トラッキング方向に並べてレンズホルダに固着し、
前記光学部より発せられる唯一の光線の光軸に対して、前記複数種の対物レンズの１つの光軸が一致するように、前記可動台に対して前記レンズホルダをトラッキング方向にシフトさせる対物レンズ切換装置を備え、
前記対物レンズ切換装置は、前記可動台の移動のガイドとなるシャフトに、前記レンズホルダを導電性弾性線材を介して支持する支持体を移動自在に取付けて構成した
ことを特徴とする光ディスク装置の対物レンズ駆動装置。
【請求項２】
請求項１に記載の光ディスク装置の対物レンズ駆動装置において、
前記支持体を磁性体により構成し、
前記可動台上における前記支持体のトラッキング方向の両側に、前記支持体を吸着して対物レンズの切換えを行なう電磁石を設けた
ことを特徴とする光ディスク装置の対物レンズ駆動装置。
【請求項３】
請求項１または２に記載の光ディスク装置の対物レンズ駆動装置において、
複数種の光ディスクに対応した複数種の対物レンズを、トラッキング方向に並べてレンズホルダに固着し、
フォーカス方向の必要駆動範囲が一番大きな対物レンズの必要駆動範囲内に、他の対物レンズの必要駆動範囲が収まるように各対物レンズのフォーカス方向の位置を異なる位置に設定した
ことを特徴とする光ディスク装置の対物レンズ駆動装置。
【請求項４】
請求項ないし３の何れかに記載の光ディスク装置の対物レンズ駆動装置において、
複数種の光ディスクに対応した複数種の対物レンズを一体に形成した
ことを特徴とする光ディスク装置の対物レンズ駆動装置。
【発明の詳細な説明】
【０００１】
【産業上の利用分野】
本発明は、光ディスクに光スポットを投射して光学的な情報の記録、再生の少なくともいずれかを行なう光ディスク装置の対物レンズ駆動装置に関する。
【０００２】
【従来の技術】
近年、光ディスク装置として、厚みや記録密度が異なる等、異種目的、異種光学特性の光ディスクを総合的に処理可能な光ヘッド装置の開発が重要視されている。このような光ヘッド装置の一例として、特開平６−３３３２５５号公報においては、厚み等が異なる複数種の光ディスクの記録、再生が可能となるように、それぞれの光ディスクに対応した複数種の対物レンズを備えておき、これらの対物レンズは、対象とする光ディスクがセットされたときに、光スポットが記録面において収束するように設定しておき、これらの対物レンズに共通の発光部からの光を分光した光束を同時に入射し、光ディスクからの反射光は、焦点のあったもの、すなわちその対物レンズで対象としている光ディスクがセットされている場合にのみ十分な光量の光束が得られるようにしたものが提案されている。
【０００３】
また、特開平７−３７２５９号公報には、複数種の光ディスクに対応し、複数種の対物レンズを切換使用するため、対物レンズへの光束の途中に設けたミラーの角度を切り換えることにより、セットされた光ディスクに対応した対物レンズにのみ光束が入射するように構成したものが提案されている。
【０００４】
その他、従来の異種光学特性の光ディスク対応の対物レンズ駆動装置として、トラッキング方向に移動し位置設定される可動台上に、フォーカス方向に突出した軸を設け、該軸に円盤状のレンズホルダを回動自在に取付け、該レンズホルダに、異なる光学特性の光ディスク対応の２個の対物レンズを周方向に間隔を持たせて固着し、該レンズホルダを周方向に回動させることにより、対物レンズを切り換える構造のものがある。
【０００５】
【発明が解決しようとする課題】
前記特開平６−３３３２５５号公報に記載のように、対物レンズの切り換え手段を持たず、目標とする反射光にセットした光ディスクからのみ所定量以上の光量が得られるようにしたものは、複数種の対物レンズに常に光束が入射されるので、例えば対物レンズが２個でレーザパワーが等しい場合には、対物出射パワーが１／２、受光素子面上の光量は１／４に減ってしまうので、対物レンズが１個の場合に比較して大きなレーザパワーが必要になる。
【０００６】
一方、特開平７−３７２５９号公報に記載のように、ミラーの角度を変えて対物レンズの１つにのみ光束を入射するものは、レーザパワーを大きくする必要はないという利点がある。しかしながら、このように光束を入射する対物レンズを選択使用するものにおいては、ミラーの角度のずれにより、受光素子面上で何十μｍもスポットがずれ、信号を十分に認識できなくなる場合がある等、光軸のずれが生じ易いという問題点がある。
【０００７】
また、軸を中心としてレンズホルダを回動させて対物レンズを切り換える構造のものにおいては、対物レンズ上のトラッキングコイルとフォーカシングコイルに可動台上の回路に接続するためのリード線が、対物レンズ選択の際の回動によって捩じられて物理的な力がリード線に加わり、リード線が断線しやすくなるという問題点がある。また、対物レンズをトラッキング方向に動かす必要があるため、どの対物レンズが選択されているかが不明である。また、レンズホルダを回動させて対物レンズを切り換え、この切り換えた状態において、可動台側に固定した永久磁石とレンズホルダとの対面位置が、対物レンズの切り換えによって異なるため、少なくともトラッキングコイルは異種光学特性の光ディスク対応に２種類設けて切り換え使用する構成とせざるをえず、また、トラッキングコイル切り換えのためのスイッチが必要となるので、回路構成が複雑になるという問題点がある。
【０００８】
本発明は、上記した問題点に鑑み、複数種の対物レンズのうち、セットした光ディスクに対向した対物レンズのみを選択使用するようにした光ディスク装置の対物レンズ駆動装置において、レンズホルダ回動式のものにおける前記不具合がなく、光軸のずれ、すなわち記録面および受光面におけるスポットのずれを生じない構造の対物レンズ駆動装置を提供することを目的とする。
【０００９】
【課題を解決するための手段】
この目的を達成するため、請求項１の発明は、光ディスクのトラッキング方向に移動されて位置制御される可動台上に、光学部を搭載して記録、再生の少なくともいずれかを行なう光ディスク装置において、
複数種の光ディスクに対応した複数種の対物レンズを、トラッキング方向に並べてレンズホルダに固着し、
前記光学部より発せられる唯一の光線の光軸に対して、前記複数種の対物レンズの１つの光軸が一致するように、前記可動台に対して前記レンズホルダをトラッキング方向にシフトさせる対物レンズ切換装置を備え、
前記対物レンズ切換装置は、前記可動台の移動のガイドとなるシャフトに、前記レンズホルダを導電性弾性線材を介して支持する支持体を移動自在に取付けて構成した
ことを特徴とする。
【００１０】
また、請求項２の発明は、前記支持体を磁性体により構成し、
前記可動台上における前記支持体のトラッキング方向の両側に、前記支持体を吸着して対物レンズの切換えを行なう電磁石を設けた
ことを特徴とする。
【００１１】
また、請求項３の発明は、複数種の光ディスクに対応した複数種の対物レンズを、トラッキング方向に並べてレンズホルダに固着し、
フォーカス方向の必要駆動範囲の一番大きな対物レンズの必要駆動範囲内に、他の対物レンズの必要駆動範囲が収まるように各対物レンズのフォーカス方向の位置を異なる位置に設定した
ことを特徴とする。
【００１２】
また請求項４の発明は、前記対物レンズ駆動装置に用いる対物レンズに関するのものであって、複数種の光ディスクに対応した複数種の対物レンズを一体に形成したものである。
【００１３】
【作用】
請求項１、２の発明においては、対物レンズ切換装置により、対物レンズを固着したレンズホルダをトラッキング方向にシフトさせて位置決めすることによって、使用する対物レンズを１つの光線の光軸に一致させ、これにより、使用する対物レンズを選択する。
【００１４】
請求項３の発明においては、複数種の対物レンズのうち、フォーカス方向の必要駆動範囲の一番大きな駆動範囲内に、他の対物レンズの駆動範囲が収まるように各対物レンズの位置を設定したので、全ての対物レンズに対する必要駆動範囲が、必要駆動範囲が一番大きな対物レンズの必要駆動範囲以下に収まる。
【００１５】
請求項４の発明においては、複数種の対物レンズを一体に形成したので、複数個の対物レンズの取付け誤差による光軸の向きの不一致が起きるおそれがない。
【００１６】
【実施例】
図１（Ａ）は本発明による対物レンズ駆動装置の前提となる構成の一例を示す平面図、図１（Ｂ）はその側面図である。図１において、１は光ディスク２のトラッキング方向に移動されて位置制御される可動台であり、該可動台１上には、レーザ等からなる発光部や光ディスク２からの反射光の受光部等からなる光学部３が搭載される。４はレンズホルダ、５ａ、５ｂは種類の異なる複数の光ディスクに対して該レンズホルダ４上に固着された種類の異なる対物レンズである。
【００１７】
前記レンズホルダ４は、可動台１に固定された駆動装置ベース６と、その上に設置された対物レンズ切換装置７と、導電性弾性線材８とを介して、可動台１上に取付けられる。該対物レンズ切換装置７は、前記駆動装置ベース６上に固定された固定部材９と、図２（Ａ）の横断面図に示すように該固定部材９にトラッキング方向に設けた矩形の貫通穴９ａに移動自在に貫挿された断面矩形の支持ロッド１０と、該貫通穴９ａの中央部の拡大部９ｂ内の内壁に固定したコイル１１と、該コイル１１を貫挿するように支持ロッド１０の中央部に固定して設けた永久磁石１２と、支持ロッド１０の左右両端近傍に固定された基板１３と、前記駆動装置ベース６に前記支持ロッド１０の両端面に対面するように固定したストッパ１４ａ、１４ｂとからなる。前記支持ロッド１０の左右に固定した基板１３にはそれぞれ上下２本ずつ前記導電性弾性線材８の基端部が半田付けにより固定され、これらの左右各２本の線材８の先端部に前記レンズホルダ４の左右両側部が固定され、レンズホルダ４は該４本の線材８により弾性的に支持され、トラッキング方向（図１（Ａ）および図２（Ｃ）、（Ｄ）に矢印Ｔで示す）およびフォーカス方向（図１（Ｂ）の矢印Ｆで示す）に移動可能である。
【００１８】
前記レンズホルダ４は四角形をなし、前記対物レンズ５ａ、５ｂは、レンズホルダ４の中央部に、トラッキング方向に並べて固着される。また、該レンズホルダ４のトラッキング方向に対して直角方向、すなわち光ディスク２の接線方向の両端部には、それぞれ、矩形をなすフォーカシングコイル１５ａ、１５ｂと、トラッキングコイル１６ａ、１６ｂとが固定され、これらのコイルはレンズホルダ４と一体的に移動する。１７ａ、１７ｂは永久磁石であり、該各永久磁石１７ａ、１７ｂは前記フォーカシングコイル１５ａ、１５ｂおよびトラッキングコイル１６ａ、１６ｂにそれぞれ対面するように、駆動装置ベース６に固定したヨーク１８ａ、１８ｂにそれぞれ固着して設けられる。フォーカシングコイル１５ａ、１５ｂは直列に電気的に接続され、４本の導電性弾性線材８のうちの２本に接続され、トラッキングコイル１６ａ、１６ｂも直列に接続されて導電性弾性線材８の他の２本に電気的に接続される。
【００１９】
１９は可動台１に固定された反射ミラーであり、該反射ミラー１９は光学部３からの光線２０を対物レンズ５ａまたは５ｂに対して入射し、光ディスク２からの反射光を光学部３に戻すものである。
【００２０】
図１（Ａ）において、２１ａ、２１ｂは、支持ロッド１０に押されて作動することにより、支持ロッド１０の位置を検出するスイッチである。
【００２１】
この対物レンズ駆動装置において、対物レンズ切換装置７のコイル１１に図２（Ａ）のａ方向に通電すると、支持ロッド１０が矢印ｂで示すようにシフトし、図３（Ａ）に示すように、駆動装置ベース６上に固定された一方のストッパ１４ａとスイッチ２１ａのノブに該支持ロッド１０の一端が当接した状態となり、この状態においては、図２（Ｃ）に示すように、光学部３より発せられる唯一の光線２０の光軸に対して、一方の対物レンズ５ａの光軸が一致する。また、コイル１１に前記ａ方向と反対方向に通電すると、図３（Ｂ）に示すように、支持ロッド１０が矢印ｂの反対方向にシフトして支持ロッド１０の反対側の端部が別のストッパ１４ｂおよびスイッチ２１ｂのノブに当接した状態となり、この状態においては、図２（Ｄ）に示すように、前記光線２０の光軸に対して、他方の対物レンズ５ｂの光軸が一致する。前記スイッチ２１ａ、２１ｂの作動による電気信号の発生により、所定の対物レンズが選択され、かつ正しい位置に移動したか否かが明確になるため、誤動作を防止することができる。なお、対物レンズ５ａ、５ｂの光軸の光線２０の光軸に対するずれは、±０．１ｍｍの範囲に収まるように設定する。
【００２２】
このように、対物レンズ５ａ、５ｂをレンズホルダ４と共にシフトし位置決めすることによって対物レンズ５ａまたは５ｂの光軸を光学部３からの光線２０の光軸と一致させる構成とすることにより、従来例のように反射ミラーの角度を変更して対物レンズの選択を行う場合に比較して、対物レンズを選択する切換装置に高い位置決め精度が要求されず、光軸の一致を容易に、誤差少なく実現することができる。
【００２３】
このようにして対物レンズ５ａ、５ｂのシフト後は、光ディスク２の面振れや偏心に応じて対物レンズ５ａ、５ｂを適正位置に移動させるため、フォーカシングコイル１５ａ、１５ｂやトラッキングコイル１６ａ、１６ｂに導電性弾性線材８を介して通電してフォーカス制御、トラッキング制御を行なう。すなわち、トラッキングコイル１６ａまたは１６ｂは、それぞれ永久磁石１７ａまたは１７ｂによる磁束と鎖交し、これらトラッキングコイル１６ａ、１６ｂに前記導電性弾性線材８を介して通電することにより、トラッキング方向について、レンズホルダ４が微小範囲について位置制御され、また、フォーカシングコイル１５ａ、１５ｂに通電すると、永久磁石１７ａまたは１７ｂによる磁束との鎖交により、レンズホルダ４はフォーカス方向に位置制御され、目標とするスポットに光束が集中するように制御される。
【００２４】
本発明においては、導電性弾性線材８と共にレンズホルダ４を移動させるため、対物レンズ５ａ、５ｂの切り換えの際に、フォーカシングコイル１５ａ、１５ｂやトラッキングコイル１６ａ、１６ｂと導電性弾性線材８との接続用リード線に無理な力がかからず、リード線断線のおそれがない。なお、基板１３と駆動装置ベース６との間をリード線により接続した場合、このリード線は取付けスペースに余裕があり、しかも回動による捩じれは起こらないため、断線のおそれはない。また、レンズホルダ４と共に導電性弾性線材８も移動させて対物レンズ５ａ、５ｂの切り換えを行う構成であるため、支持ロッド１０を固定した状態で対物レンズ５ａ、５ｂのフォーカス制御、トラッキング制御がなされ（なお、レンズホルダ回動式の場合には、フォーカス制御、トラッキング制御に伴い、レンズホルダが軸を中心として軸方向に摺動し、かつ軸を中心として回動する）、いずれの対物レンズ５ａ、５ｂが選択されているかの検出が、スイッチ２１ａ、２１ｂによって検出可能であり、対物レンズの切り換え状態を確実に表示できる。また、２種の対物レンズ５ａ、５ｂに対応して１種のトラッキングコイル１６ａ、１６ｂが共通に使用でき、かつトラッキングコイル１６ａ、１６ｂの切り換えのためのスイッチが不要となるので、回路構成を簡素化できる。
【００２５】
ここで、図３（Ａ）、（Ｂ）に示すように、レンズホルダ４の位置をいずれに切換えても、フォーカシングコイル１５ａ、１５ｂおよびトラッキングコイル１６ａ、１６ｂはいずれもそのトラッキング方向の全幅にわたってそれぞれ永久磁石１７ａまたは１７ｂに対面するように、永久磁石１７ａ、１７ｂのトラッキング方向の幅を、レンズホルダ４の移動量にフォーカシングコイル１５ａ、１５ｂ並びにトラッキングコイル１６ａ、１６ｂの幅を加えた長さ以上に設定することにより、フォーカシングコイル１５ａ、１５ｂおよびトラッキングコイル１６ａ、１６ｂへの通電時にこれらのコイル電流と磁束との作用により発生する力がレンズホルダ４に作用する点は、レンズホルダ４の位置の変化にかかわらず一定となる。これにより、レンズホルダ４における電磁力の作用点と重心との不一致によってレンズホルダ４に回転力が作用することが防止され、対物レンズ５ａ、５ｂの光軸が傾くことが防止され、前記光線２０の光軸を対物レンズ５ａ、５ｂの光軸と一致させることができる。
【００２６】
本発明を実施する場合、レンズホルダ４を駆動するためのフォーカシングコイル１５ａ、１５ｂやトラッキングコイル１６ａ、１６ｂを駆動装置ベース６側に設け、レンズホルダ４側に永久磁石１７ａ、１７ｂを固定してもよい。このように逆の配置にする場合には、フォーカシングコイルやトラッキングコイルのトラッキング方向の幅は、レンズホルダ４側に固定する永久磁石のトラッキング方向の幅とトラッキング方向の移動量の和以上の幅とすることにより、前記した理由でレンズホルダ４の傾きを防止できる。
【００２７】
また、対物レンズ切換装置７は、図１におけるストッパ１４ａ、１４ｂに電磁石を用い、支持ロッド１０に磁性体を用いて、いずれかの電磁石によって磁性体でなる支持ロッド１０を吸引して位置決めするようにしてもよい。また、プランジャで支持ロッド１０を移動させる構成とすることもできる。また、支持ロッド１０は断面矩形ではなく、断面円形としてもよい。また、支持ロッド１０をシフトさせた後は、コイル１１に電流を流し続けなくとも、支持ロッド１０がストッパ１４ａまたは１４ｂに常時当接し、対物レンズ５ａまたは５ｂが所定の位置に保持される機構を設けてもよい。
【００２８】
図４は対物レンズ５ａ、５ｂのレンズホルダ４における本発明によるフォーカス方向の設置例を説明するもので、図４（Ａ）に示すように、光ディスク２Ａと光ディスク２Ｂの厚みやセット位置がＺ１で示す幅だけずれ、対応する対物レンズ５ａ、５ｂのフォーカシングコイル１５ａ、１５ｂへの通電による必要駆動範囲の大きさが異なる場合、仮に一方の対物レンズ５ａを実線位置にセットし、他方の対物レンズ５ｂを二点鎖線で示す位置に設定し、光ディスク側最端部の位置をｃとｄのように一致させた場合には、図４（Ｂ）に示すように、必要駆動範囲が大きい方の対物レンズ５ａの必要駆動範囲Ｚ３（ｅはその中立点）に対し、対物レンズ５ｂの必要駆動範囲Ｚ４（ｆはその中立点）は、対物レンズ５ａの必要駆動範囲を逸脱し、全体としての必要駆動範囲はＺ５となり、広い駆動範囲を必要とする。
【００２９】
そこで、対物レンズ５ｂを図４（Ａ）の実線で示すように、その光ディスク側最端部ｇと前記対物レンズ５ａの光ディスク側最端部ｃよりも光ディスク寄りに前記差Ｚ２の分だけ近づける（ここで、図４（Ａ）のＬ１、Ｌ２はワーキング・ディスタンスであり、それぞれ対物レンズ５ａ、５ｂと光ディスク２Ａ、２Ｂとの隙間である）ことにより、図４（Ｃ）に示すように、対物レンズ５ｂの必要駆動範囲Ｚ４（ｈはその中立点）を、対物レンズ５ａの必要駆動範囲Ｚ３内に収めることができる。
【００３０】
このように、必要駆動範囲が最大となる対物レンズの必要駆動範囲内に他の対物レンズの必要駆動装置を収めた対物レンズの配置とすることにより、対物レンズ５ａ、５ｂの全体としての必要駆動範囲を狭くし、その結果、導電性弾性線材８等の過度の曲がりによるレンズホルダ４の傾きを小さくおさえ、これにより前記光線２０の光軸と対物レンズ５ａ、５ｂの光軸とのずれをおさえることができる。また、レンズホルダ４の必要駆動範囲を小さくおさえることにより、対物レンズ駆動装置の負担を小さくすることができる。なお、このような対物レンズの相対的な位置関係は、前記可動の反射ミラーの使用によって対物レンズを選択するもの等にも適用できる。
【００３１】
図５（Ａ）は対物レンズ５ａ、５ｂを１個ずつレンズホルダ４に分割配置した例であり、図５（Ｂ）は本発明により対物レンズ５ａ、５ｂを一体に形成したものである。図５（Ａ）のレンズ取付け構造によれば、それぞれの対物レンズ５ａ、５ｂの取付け面Ａ、Ｂに対する取付け角度誤差が対物レンズ５ａ、５ｂ間で発生するため、それぞれの光軸Ｐ１とＱ１の向きを一定方向に揃えることが難しくなる。一方、図５（Ｂ）に示すように、２個の対物レンズ５ａ、５ｂを１つにまとめて形成すれば、取付け面Ｃは１つであり、それぞれの光軸Ｐ２、Ｑ２のずれは成形時の誤差のみであり、上記のような取付け誤差は発生しないため、光軸の向きを一定方向に容易に揃えることができ、その結果、光線と対物レンズの光軸のずれを小さくすることができる。また、対物レンズを１個ずつ並べた時のトラッキング方向のレンズの中心間距離は、図５（Ａ）に示す分割配置の場合の距離ｔ１より図５（Ｂ）に示すｔ２まで狭めることができるので、トラッキング方向のレンズホルダ４の移動量を短くすることができ、レンズホルダ４や対物レンズ切換装置７の規模を小さくすることができる。
【００３２】
図６は本発明の一実施例であり、可動台１の移動のガイドとなるシャフト２２を、前記レンズホルダ４を導電性弾性線材８を介して支持する支持体１０Ａを移動自在に取付けて構成することにより、シャフト２を可動台１と支持体１０Ａのガイドに共用したものである。該支持体１０Ａは磁性材により構成し、可動台１上に固定した駆動装置ベース６上における支持体１０Aのトラッキング方向の両側に固定した電磁石２３ａ、２３ｂにより支持体１０Ａを吸着することにより、レンズホルダ４が導電性弾性線材８と共に移動し、これにより対物レンズ５ａ、５ｂが切り換えられるようにしたものである。このようなシャフト２２共用の構造とすれば、構造が簡略化され、小型化に寄与できる。
【００３３】
本発明において、レンズホルダ４は実施例で示したように導電性弾性線材８によって片持ち式に支持するのではなく、両端が駆動装置ベース６で支持された導電性弾性線材８の中間部にレンズホルダを支持させてもよい。また、本発明で対象とする光ディスクは光記録だけではなく、光磁気記録を行うものであってもよい。また、駆動装置ベース６は可動台１の一部として形成されたものであってもよい。
【００３４】
【発明の効果】
請求項１、２によれば、複数種の光ディスクに対応した複数種の対物レンズを、トラッキング方向に並べてレンズホルダに固着し、光学部より発せられる唯一の光線の光軸に対して、前記複数種の対物レンズの１つの光軸が一致するように、前記可動台に対して前記レンズホルダをトラッキング方向にシフトさせる対物レンズ切換装置を設けたので、対物レンズの位置合わせはトラッキング方向のみでよく、光軸のずれ、すなわち記録面および受光面におけるスポットのずれを生じない対物レンズ駆動装置を提供できる。
【００３５】
また、複数の対物レンズに対してトラッキングコイルが共通に使用でき、かつトラッキングコイルの切り換えのためのスイッチが不要となるので、回路構成を簡素化できる。また、可動台のガイドのためのシャフトを、レンズホルダの支持体のガイド用シャフトに共用したので、構造が簡略化され、小型化に寄与できる。
【００３６】
請求項３によれば、複数種の光ディスクに対応した複数種の対物レンズを、トラッキング方向に並べてレンズホルダに固着し、前記複数種の対物レンズのフォーカス方向の必要駆動範囲の一番大きな対物レンズ範囲内に、他の対物レンズの必要駆動範囲が収まるように各対物レンズの位置を設定したので、複数の対物レンズ全体の必要駆動範囲を狭くすることができ、その結果、光線の光軸と対物レンズの光軸とのずれをおさえることができる。また、レンズホルダの必要駆動範囲を小さくおさえることにより、対物レンズ駆動装置の負担を小さくすることができる。
【００３７】
請求項４によれば、複数種の光ディスクに対応した複数種の対物レンズを一体に形成したので、各対物レンズの光軸の向きを一定方向に容易に揃えることができ、その結果、光線と対物レンズの光軸のずれを小さくすることができる。また、対物レンズの中心間距離を狭くすることができるので、トラッキング方向のレンズホルダの移動量を短くすることができ、レンズホルダの規模を小さくすることができる。
【図面の簡単な説明】
【図１】（Ａ）は本発明による対物レンズ駆動装置の前提構成の一例を示す平面図、（Ｂ）はその一部破断側面図である。
【図２】（Ａ）は図１の対物レンズ駆動装置の一部を示す横断面図、（Ｂ）が該対物レンズ切換装置に用いるコイルを示す斜視図、（Ｃ）、（Ｄ）は該対物レンズ駆動装置における対物レンズ切換え動作を説明する反射ミラーおよび対物レンズの斜視図である。
【図３】（Ａ）、（Ｂ）は図１、図２の装置における対物レンズ切換え動作を説明する対物レンズ駆動装置の平面図である。
【図４】（Ａ）は前記における対物レンズのフォーカス方向の設置例を説明する図、（Ｂ）は２つの対物レンズの光ディスク側最端部の位置を合わせた場合の対物レンズの必要駆動範囲を示す平面図、（Ｃ）は本発明により一方の対物レンズの光ディスク側最端部の位置を光ディスク側に近接させた場合の対物レンズの必要駆動範囲を示す平面図である。
【図５】（Ａ）は対物レンズを１個ずつレンズホルダに分割配置した例を示す断面図、（Ｂ）は本発明により２つの対物レンズを一体に形成したものを示す断面図である。
【図６】本発明の対物レンズ駆動装置の一実施例を示す平面図である。
【符号の説明】
１：可動台、２：光ディスク、３：光学部、４：レンズホルダ、５ａ、５ｂ：対物レンズ、６：駆動装置ベース、７：対物レンズ切換装置、８：導電性弾性線材、９：固定部材、１０：支持ロッド、１０A:：支持体、１１：コイル、１２：永久磁石、１３：基板、１４ａ、１４ｂ：ストッパ、１５ａ、１５ｂ：フォーカシングコイル、１６ａ、１６ｂ：トラッキングコイル、１７ａ、１７ｂ：永久磁石、１８ａ、１８ｂ：ヨーク、１９：反射ミラー、２０：光線、２１ａ、２１ｂ：スイッチ、２２：シャフト、２３ａ、２３ｂ：電磁石
【図１】
0003544760.tif 000002
【図２】
0003544760.tif 000003
【図３】
0003544760.tif 000004
【図４】
0003544760.tif 000005
【図５】
0003544760.tif 000006
【図６】
0003544760.tif 000007